(57)【特許請求の範囲】
【請求項１】
入射する光束の光軸を中心として配置され、前記光束を回動量に応じて遮光することにより通過させる光量を調整する一対の遮光板と、
前記遮光板を直接的または間接的に保持して当該遮光板を回動させる一対の回動伝達ギヤと、
前記回動伝達ギヤを回動可能に支持する一対の支持軸が設置される支持基板と、
前記支持軸に支持される前記回動伝達ギヤを前記支持基板に押し付けて付勢する一対の付勢部材と、
を備え、
前記回動伝達ギヤは、前記支持軸に案内される孔部と、当該孔部の中心軸に対して扁芯して設置されて前記付勢部材に押圧される押圧部と、を有していることを特徴とする調光装置。
【請求項２】
請求項１に記載の調光装置であって、
前記付勢部材は、コイルばねで構成されていることを特徴とする調光装置。
【請求項３】
請求項１または請求項２に記載の調光装置であって、
前記押圧部は、前記遮光板が閉じた状態において、前記一対の遮光板の前記光軸側の相対する端部の隙間を小さくする方向に、前記一対の回動伝達ギヤが付勢されるように扁芯させて設置されていることを特徴とする調光装置。
【請求項４】
請求項１〜請求項３のいずれか一項に記載の調光装置であって、
前記回動伝達ギヤと前記支持基板との間には、潤滑性を有するシート状のシート部材が設置されていることを特徴とする調光装置。
【請求項５】
請求項１〜請求項４のいずれか一項に記載の調光装置と、
前記光束を射出する光源装置と、
前記調光装置により調光された光束を画像信号に応じて変調する光変調装置と、を備えていることを特徴とするプロジェクター。
【発明の詳細な説明】
【技術分野】
【０００１】
本発明は、調光装置、および調光装置を備えるプロジェクターに関する。
【背景技術】
【０００２】
従来、光源装置から射出された光束を画像信号に応じて光変調装置で変調し、スクリーン等に画像光として投写するプロジェクターが知られている。このプロジェクターには、投写される画像の明るさに対応させて、光変調装置に入射させる光束の光量を調整する調光装置を備えたものがある。この調光装置を備えるプロジェクターは、高いダイナミックコントラストを得ることができる。
【０００３】
特許文献１に開示される調光装置は、光源から射出された光束を減光する減光部と、減光部が取り付けられ、減光部の位置を変えるために回転する第２ギヤおよび第３ギヤと、第２ギヤおよび第３ギヤを回転可能に支持する支持軸を有すると共に、支持軸の軸心に対して略直交する方向において、光学部品用筐体とで第２ギヤおよび第３ギヤをそれぞれ狭装するベース部と、を備えていることが開示されている。この構成により、支持軸を回転部から飛び出させ、留め輪等を配置することなく、回転部は、支持軸からの脱落が防止され、減光部の位置を適正に変えるように安定して回転することができるとしている。
【先行技術文献】
【特許文献】
【０００４】
【特許文献１】特開２０１０−１７５６７９号公報
【発明の概要】
【発明が解決しようとする課題】
【０００５】
特許文献１に開示される調光装置において、第２ギヤおよび第３ギヤは、ベース部に固定された概円柱状の支持軸に支持されて回動する。しかし、このような支持軸に支持された第２ギヤおよび第３ギヤは、長期間の使用により、支持軸に対して傾き、回転がガタツキ易くなるという課題がある。そして、調光装置は、ギヤの回転がガタツクことにより、減光部（遮光板）の位置がずれてしまい、所定の通過光量となるように遮光することができず、調光制御を精度良く実施することができないという課題がある。これにより、調光装置を備えるプロジェクターにおいては、長期間維持可能な高いダイナミックコントラストが得られないという課題がある。
従って、長期間使用しても回転のガタツキを防止できる調光装置と、調光装置を備えるプロジェクターが要望されていた。
【課題を解決するための手段】
【０００６】
本発明は、上述した課題の少なくとも一部を解決するためになされたものであり、以下の形態または適用例として実現することが可能である。
【０００７】
［適用例１］本適用例に係る調光装置は、入射する光束の光軸を中心として配置され、光束を回動量に応じて遮光することにより通過させる光量を調整する一対の遮光板と、遮光板を直接的または間接的に保持して遮光板を回動させる一対の回動伝達ギヤと、回動伝達ギヤを回動可能に支持する一対の支持軸が設置される支持基板と、支持軸に支持される回動伝達ギヤを支持基板に押し付けて付勢する一対の付勢部材と、を備えていることを特徴とする。
【０００８】
このような調光装置によれば、付勢部材が、遮光板を保持する回動伝達ギヤを支持基板に押し付けて付勢する。これにより、調光装置は、支持軸に支持されて回動する回動伝達ギヤの回転のガタツキを防止することができ、また、長期間の使用に対しても安定してガタツキを防止することができる。従って、回動伝達ギヤに直接的または間接的に保持されて回動する一対の遮光板は、安定した回転を長期間維持することができ、通過させる光量を適正に調整することができる。
【０００９】
［適用例２］上記適用例に係る調光装置において、付勢部材は、コイルばねで構成されていることが好ましい。
【００１０】
このような調光装置によれば、付勢部材がコイルばねで構成されていることにより、回動伝達ギヤの回転による振動等で発生するガタツキに対して追従させることができ、回動伝達ギヤを安定して支持基板に押し付けることができる。
【００１１】
［適用例３］上記適用例に係る調光装置において、回動伝達ギヤは、支持軸に案内される孔部と、孔部の中心軸に対して扁芯して設置されて付勢部材に押圧される押圧部と、を有していることが好ましい。
【００１２】
このような調光装置によれば、付勢部材は、孔部の中心軸に対して扁芯して設置される押圧部を押圧することで、回動伝達ギヤを移動させ、支持軸の外面に回動伝達ギヤの孔部の内面を当接させることができる。これにより、調光装置は、支持軸と孔部との隙間を無くすことができるため、回動伝達ギヤの支持軸に対する傾きを防止することができる。従って、調光装置は、回動伝達ギヤの回転のガタツキを更に防止することができる。
【００１３】
［適用例４］上記適用例に係る調光装置において、押圧部は、遮光板が閉じた状態において、一対の遮光板の光軸側の相対する端部の隙間を小さくする方向に、一対の回動伝達ギヤが付勢されるように扁芯させて設置されていることが好ましい。
【００１４】
このような調光装置によれば、遮光板が閉じた状態（通過光量が最も少なくなる状態）において、一対の遮光板の光軸側の相対する端部の隙間を小さくする方向に、一対の回動伝達ギヤが付勢されることにより、遮光板が閉じた状態における一対の回動伝達ギヤの軸間距離を安定化させることができる。これにより、調光装置は、遮光板が閉じた状態において、遮光板の光軸側の相対する端部の隙間が最小となるように設定することで、遮光板を長期間回転させても、遮光板が閉じた状態における隙間が最小となる状態を維持させることができる。従って、調光装置は、遮光板の調光制御を精度良く実施することができる。
【００１５】
［適用例５］上記適用例に係る調光装置において、回動伝達ギヤと支持基板との間には、潤滑性を有するシート状のシート部材が設置されていることが好ましい。
【００１６】
このような調光装置によれば、回動伝達ギヤは、付勢部材により付勢されて、シート部材の表面を滑らかに摺動することができる。調光装置は、回動伝達ギヤが滑らかに摺動することにより、回動伝達ギヤの回動による騒音を抑制することができ、静音化を図ることができる。
【００１７】
［適用例６］本適用例に係るプロジェクターは、上述したいずれかの調光装置と、光束を射出する光源装置と、調光装置により調光された光束を画像信号に応じて変調する光変調装置と、を備えていることを特徴とする
【００１８】
このようなプロジェクターによれば、回動伝達ギヤの回転のガタツキを防止する調光装置により、通過させる光量の調光制御を精度良く実施できることにより、投写される画像に対して高いダイナミックコントラストを実現することができ、しかも、高いダイナミックコントラストを長期間維持することができる。
【図面の簡単な説明】
【００１９】
【図１】第１実施形態に係るプロジェクターの概略構成を模式的に示す図。
【図２】調光装置の概略構成を示す斜視図。
【図３】調光装置の概略構成を示す斜視図。
【図４】調光装置の分解斜視図。
【図５】調光装置の概略断面図。
【図６】調光装置の概略側面図。
【図７】図６における回動伝達ギヤを示す図。
【図８】第２実施形態に係る調光装置の概略断面図。
【発明を実施するための形態】
【００２０】
以下、実施形態を図面に基づいて説明する。
（第１実施形態）
【００２１】
図１は、第１実施形態に係るプロジェクター１の概略構成を模式的に示す図である。図１を参照して、本実施形態のプロジェクター１の概略構成を説明する。
【００２２】
なお、図１を含む以降の図面では、説明の便宜上、ＸＹＺ直交座標系で記載する。ＸＹＺ直交座標系は、照明光軸ＯＡに沿う光束の進行方向をＸ（＋Ｘ）方向とし、Ｘ方向に直交し、投写レンズ３５から画像光が射出される方向とは逆側の方向をＹ（＋Ｙ）方向とする。また、Ｘ方向およびＹ方向に直交し、かつ、机上設置姿勢での上方向（重力方向に逆らう方向）をＺ（＋Ｚ）方向とする。
【００２３】
本実施形態のプロジェクター１は、光源から射出される光束を画像信号に応じて変調してスクリーン等の投写面に拡大投写する電子機器である。プロジェクター１は、図１に示すように、光学ユニット３、制御部（図示省略）、制御部等に電力を供給する電源ユニット（図示省略）、およびプロジェクター１内部を冷却する冷却ユニット（図示省略）等を備え、これら各装置が外装筺体１Ａ内部に収容されている。
【００２４】
光学ユニット３は、制御部による制御に基づき、光源装置３０から射出された光束を光学的に処理して画像信号に応じた画像光を形成して投写するユニットである。光学ユニット３は、光源装置３０、照明光学装置３１、色分離光学装置３２、リレー光学装置３３、電気光学装置３４、およびこれら光学装置３０〜３４を内部に収容すると共に、投写レンズ３５を所定位置で支持固定する光学部品用筺体３６を備えて構成されている。
【００２５】
光源装置３０は、光源３０１およびリフレクター３０２を備える。光源装置３０は、光源３０１から射出された光束をリフレクター３０２によって射出方向を揃え、照明光軸ＯＡに対して平行化して照明光学装置３１に向けて射出する。照明光軸ＯＡは、光源装置３０から被照明領域側に射出される光束の中心軸である。本実施形態の光源装置３０は、超高圧水銀ランプを採用している。
【００２６】
照明光学装置３１は、第１レンズアレイ３１１と、第２レンズアレイ３１２と、偏光変換素子３１３と、重畳レンズ３１４と、平行化レンズ３１５と、を備えている。第１レンズアレイ３１１は、照明光軸ＯＡ方向から見て略矩形状の輪郭を有する小レンズがマトリクス状に配列された構成を有している。各小レンズは、光源装置３０から射出された光束を部分光束に分割し、照明光軸ＯＡに沿った方向に射出する。第２レンズアレイ３１２は、第１レンズアレイ３１１の小レンズから射出された部分光束に対応して、小レンズがマトリクス状に配列された構成を有している。第２レンズアレイ３１２は、第１レンズアレイ３１１から射出された部分光束をそれぞれ重畳レンズ３１４に向けて射出する。
【００２７】
偏光変換素子３１３は、第２レンズアレイ３１２から射出されたランダム偏光光となる各部分光束を液晶パネル３４１で利用可能な略１種類の偏光光に揃える機能を有する。なお、第２レンズアレイ３１２から射出され、偏光変換素子３１３によって略１種類の偏光光に変換された各部分光束は、重畳レンズ３１４によって、液晶パネル３４１の表面に略重畳される。なお、重畳レンズ３１４から射出された光束は、平行化レンズ３１５により平行化されて液晶パネル３４１に重畳される。平行化レンズ３１５は、詳細には、後述する３色の色光毎に設けられている。
【００２８】
照明光学装置３１には、光束の通過光量を調整する調光装置１０が設置される。詳細には、本実施形態の調光装置１０は、回動する一対の遮光板７（図２参照）を備えており、この遮光板７が、第１レンズアレイ３１１と第２レンズアレイ３１２との間に位置するように配置される。
【００２９】
調光装置１０は、制御部による制御に基づき、本実施形態では、一対の遮光板７が照明光軸ＯＡを通る水平面（ＸＹ平面）に対して略対称となる位置関係で回動することにより、光源装置３０（第１レンズアレイ３１１）から射出される光束の一部を遮光して通過させる光量を調整する。なお、遮光板７を通過した光束は、第２レンズアレイ３１２に入射する。調光装置１０の詳細な構成と動作に関しては後述する。
【００３０】
色分離光学装置３２は、第１ダイクロイックミラー３２１と、第２ダイクロイックミラー３２２と、反射ミラー３２３と、を備えている。色分離光学装置３２は、照明光学装置３１から射出された光束を、赤色（Ｒ）光、緑色（Ｇ）光、青色（Ｂ）光の３色の色光に分離する。
【００３１】
リレー光学装置３３は、入射側レンズ３３１と、リレーレンズ３３３と、反射ミラー３３２，３３４と、を備えている。リレー光学装置３３は、色分離光学装置３２で分離されたＲ光をＲ光用の液晶パネル３４１Ｒまで導く。なお、本実施形態では、リレー光学装置３３がＲ光を導く構成としているが、これに限定されず、例えば、Ｂ光を導く構成としてもよい。
【００３２】
電気光学装置３４は、入射側偏光板３４２と、光変調装置としての液晶パネル３４１（Ｒ光用の液晶パネルを３４１Ｒ、Ｇ光用の液晶パネルを３４１Ｇ、Ｂ光用の液晶パネルを３４１Ｂとする）と、射出側偏光板３４３と、クロスダイクロイックプリズム３４４と、を備えている。入射側偏光板３４２および射出側偏光板３４３は、液晶パネル３４１Ｒ，３４１Ｇ，３４１Ｂ毎に設けられている。
【００３３】
液晶パネル３４１（３４１Ｒ，３４１Ｇ，３４１Ｂ）は、色分離光学装置３２で色光毎に分離された光束を画像信号に応じて変調する。クロスダイクロイックプリズム３４４は、４つの直角プリズムを貼り合わせた平面視略正方形状を有し、直角プリズム同士を貼り合わせた界面には、２つの誘電体多層膜が形成されている。クロスダイクロイックプリズム３４４は、液晶パネル３４１Ｒ，３４１Ｇ，３４１Ｂで変調された各色光を合成し、投写レンズ３５に射出する。
【００３４】
投写レンズ３５は、複数のレンズを組み合わせた組レンズで構成され、電気光学装置３４で変調され合成された光束をスクリーン等の投写面上に拡大投写する。
【００３５】
プロジェクター１は、調光装置１０により電気光学装置３４に入射する光束の光量を調整できるため、例えば、場面に応じて光束の光量を調整することにより、投写される画像のダイナミックコントラストを向上させることができる。
【００３６】
図２、図３は、調光装置１０の概略構成を示す斜視図であり、図２は調光装置１０の遮光板７を閉じた状態（全閉状態）を示す斜視図であり、図３は調光装置１０の遮光板７を開いた状態（全開状態）を示す斜視図である。図４は、調光装置１０の分解斜視図である。図５は、調光装置１０の概略断面図である。また、図２〜図５は、調光装置１０の光束射出側（＋Ｘ方向）から見た図としている。図６は、調光装置１０の概略側面図である。図７は、図６における回動伝達ギヤを示す図である。なお、図５〜図７は、遮光板７が全閉状態での図である。図２〜図７を参照して、調光装置１０の構成および動作に関して説明する。
【００３７】
図２に示すように、調光装置１０が一対の遮光板７により、光束を最大限に遮光する状態（通過光量が最も少なくなる状態）を全閉状態（遮光板７を閉じた状態）と称し、以降、適宜使用する。また、図３に示すように、調光装置１０が一対の遮光板７により、光束を最小限に遮光する状態（通過光量が最大の状態（本実施形態では光束を遮らない状態））を全開状態（遮光板７を開いた状態）と称し、以降、適宜使用する。
【００３８】
図２〜図４に示すように、調光装置１０は、概略、支持基板２と、支持基板２に設置される支持軸４と、モーター５０と、第１ギヤ５１と、一対の回動伝達ギヤとしての第２ギヤ５２および第３ギヤ５３と、第２ギヤ５２および第３ギヤ５３に保持される一対の遮光板７（７ａ，７ｂ）とを備えている。また、調光装置１０は、回動伝達ギヤとしての第２ギヤ５２、第３ギヤ５３を、支持基板２に押し付ける付勢部材としてのコイルばね６を備えている。コイルばね６は圧縮コイルばねとして構成されている。なお、モーター５０、第１ギヤ５１、第２ギヤ５２、および第３ギヤ５３等により駆動部５を構成している。
【００３９】
支持基板２は、図２〜図４に示すように、略矩形状に形成される基板本体２０、および基板本体２０に取り付けられた３つの支持軸４を有している。そして、支持基板２は、基板本体２０の一方の面２０Ａ側に、第１ギヤ５１、第２ギヤ５２、第３ギヤ５３、および遮光板７を支持し、基板本体２０の他方の面２０Ｂ側に、モーター５０およびセンサー部８を支持して構成されている。
【００４０】
基板本体２０は、板金加工により形成され、図２〜図４に示すように、基板本体２０の４方向の端部は一方の面２０Ａ側に曲折されている。基板本体２０は、支持軸４（第１支持軸４１）を挿通する孔部（図示省略）と、支持軸４（第２支持軸４２、第３支持軸４３）を挿通する孔部２２，２３（いずれも図５参照）が形成されている。
【００４１】
また、基板本体２０は、モーター５０のスピンドル５０２を挿通する孔部２４と、孔部２４の周囲にモーター５０を固定する一対のネジ孔２４１が形成されている。また、基板本体２０は、センサー部８のセンサー８０を挿通する孔部２５と、センサー部８を固定するネジ孔２５１が形成されている。また、孔部２２を中心として案内孔２６が円弧状に貫通して形成されている。
【００４２】
調光装置１０は、光学部品用筺体３６の＋Ｙ側の側面（図１参照）に固定される。調光装置１０を光学部品用筺体３６に固定した際、基板本体２０の４方向の端部が一方の面２０Ａ側に曲折されていることにより、支持基板２と光学部品用筺体３６の側面とで、第２ギヤ５２および第３ギヤ５３を概ね囲う形態とさせ、第２ギヤ５２および第３ギヤ５３等に塵埃が付着することを抑制している。なお、支持基板２が光学部品用筺体３６に固定されることにより、一対の遮光板７（７ａ，７ｂ）は、第１レンズアレイ３１１と第２レンズアレイ３１２との間に配置される。
【００４３】
支持軸４は、３つの支持軸４（第１支持軸４１、第２支持軸４２、第３支持軸４３）で構成されている。支持軸４は、第１ギヤ５１、第２ギヤ５２、第３ギヤ５３をそれぞれ回動可能に支持する部材である。第２支持軸４２、第３支持軸４３は、第２ギヤ５２、第３ギヤ５３を回動可能に支持する一対の支持軸４として構成されている。なお、第２ギヤ５２、第３ギヤ５３は、一対の回動伝達ギヤに相当する。
【００４４】
第２支持軸４２、第３支持軸４３は、図４、図５に示すように、基板本体２０の面２０Ａ側に設置される。詳細には、第２支持軸４２、第３支持軸４３は、図５に示すように、金属製で円柱状に形成され、一方の端部側に円板状のツバ部４２１，４３１を有している。第２支持軸４２、第３支持軸４３は、図５に示すように、各ツバ部４２１，４３１が基板本体２０の面２０Ａに当接するまで、一方の端部を基板本体２０の孔部２２，２３にそれぞれ圧入させることで、他方の端部が面２０Ａから−Ｙ方向に突出するように設置される。
【００４５】
第２支持軸４２、第３支持軸４３は、第２ギヤ５２、第３ギヤ５３をそれぞれ回動可能に支持するように、軸径および長さが設定されている。第２支持軸４２、第３支持軸４３の長さは、第２ギヤ５２、第３ギヤ５３をそれぞれ挿入した後に、先端部が第２ギヤ５２、第３ギヤ５３のそれぞれの表面から若干突出する高さとなるように設定されている。
【００４６】
第１支持軸４１は、概ね第２支持軸４２と同様の形状で構成される。第１支持軸４１は、同様に、ツバ部４１１が基板本体２０の面２０Ａに当接するまで、一方の端部を基板本体２０の孔部（図示省略）に圧入させ、他方の端部が面２０Ａから−Ｙ方向に突出するように設置される。第１支持軸４１の長さは、第１ギヤ５１を挿入した際に、先端部が第１ギヤ５１の表面から若干突出する高さとなるように設定されている。
【００４７】
基板本体２０に設置された３つの支持軸４を基準に、本実施形態では、基板本体２０の面２０Ａ上に、シート部材６５を設置する構成となっている。シート部材６５は、薄いシート状の合成樹脂製の部材を打ち抜き加工により形成されている。また、シート部材６５は、基板本体２０の平面度に比べて平面度が高く、また、潤滑性を有している。
【００４８】
シート部材６５は、第１ギヤ５１、第２ギヤ５２、第３ギヤ５３が回転を行う場合、基板本体２０の面上を摺動させるよりも滑らかに摺動させるための部材である。第１ギヤ５１、第２ギヤ５２、第３ギヤ５３は、このシート部材６５の面上を滑らかに摺動して回転する。
【００４９】
シート部材６５は、３つの支持軸４のツバ部４１１，４２１，４３１（いずれも図４参照）を案内として、３つの支持軸４を中心とした所定の径を有する形状に形成されている。詳細には、シート部材６５は、第１ギヤ５１、第２ギヤ５２、第３ギヤ５３がそれぞれ回動する際に、第１ギヤ５１に形成される摺動用突起部（図示省略）および第２ギヤ５２と第３ギヤ５３とに形成される摺動用突起部５２６，５３６（いずれも図５参照）が、シート部材６５の面上を摺動できる径（所定の径）として形成される。
【００５０】
モーター５０は、第１ギヤ５１を回動させる駆動力を発生させる駆動源であり、制御部により回転を制御される。モーター５０は、本実施形態では、ステッピングモーターを使用している。モーター５０は、図２〜図４に示すように、支持軸であるスピンドル５０２を有するモーター本体５０１と、スピンドル５０２に圧入して設置されたピニオン５０３とを備えている。モーター５０は、基板本体２０の孔部２４からピニオン５０３が面２０Ａ側に突出するように位置させ、ネジＳ１をネジ孔２４１に螺合することにより、基板本体２０の面２０Ｂに設置される。なお、ピニオン５０３は、平歯車として構成されている。
【００５１】
第１ギヤ５１は、ピニオン５０３とかみ合い、モーター５０で発生させた駆動力を第２ギヤ５２に伝達する。詳細には、第１ギヤ５１は、ピニオン５０３の回転を減速して第２ギヤ５２に伝達する。第１ギヤ５１は、合成樹脂製であり、図２〜図４に示すように、同軸上に積層されて形成された大ギヤ部５１１および小ギヤ部５１２を備えている。大ギヤ部５１１の径は、ピニオン５０３および小ギヤ部５１２の径より大きく設定されている。なお、大ギヤ部５１１は平歯車として構成され、小ギヤ部５１２ははすば歯車として構成されている。
【００５２】
第１ギヤ５１は、回転中心軸を中心とする中心孔５１５（図４参照）が形成されている。中心孔５１５は、第１支持軸４１の外径より僅かに大きな内径に設定されている。第１ギヤ５１は、中心孔５１５に第１支持軸４１が挿入され、大ギヤ部５１１がピニオン５０３とかみ合って基板本体２０の面２０Ａ側に配置される。
【００５３】
なお、第１ギヤ５１を第１支持軸４１に挿入した後、第１支持軸４１の先端部に設置される溝部４１２に固定リングＥ１を係止することで第１ギヤ５１の第１支持軸４１からの抜けを防止している。また、第１ギヤ５１は、基板本体２０の面２０Ａ側に、中心孔５１５を中心としてリブ状に突出する摺動用突起部（図示省略）が設置される。この摺動用突起部は、第１ギヤ５１が回転する際に、シート部材６５の面上を摺動する。
【００５４】
第２ギヤ５２および第３ギヤ５３は、遮光板７ａ，７ｂをそれぞれ保持して、第１ギヤ５１の回転が伝達されることにより、遮光板７ａ，７ｂを回動するギヤである。詳細には、第２ギヤ５２は、第１ギヤ５１（小ギヤ部５１２）とかみ合い、第３ギヤ５３は第２ギヤ５２とかみ合う。そして、第２ギヤ５２および第３ギヤ５３は、第１ギヤ５１を介して伝達されたモーター５０の駆動力によって互いに逆方向に回転する。
【００５５】
第２ギヤ５２に関して構成および動作を説明する。
第２ギヤ５２は、合成樹脂製であり、図６、図７に示すように、平面視で略半円形状を有しており、第１ギヤ５１（小ギヤ部５１２）にかみ合う歯形がこの半円状の外周に形成されている。第２ギヤ５２は、はすば歯車として構成されている。この歯形が形成されている範囲は、遮光板７ａが回動する範囲に対応して設定されている。調光装置１０は、第２ギヤ５２が半円形状に形成されることで、円形状に形成される場合に比べて、小型化が図られている。
【００５６】
第２ギヤ５２は、図４に示すように、回転中心軸を中心とする中心孔５２１を有して筒状に形成される筒状部５２２を備えている。中心孔５２１は、第２支持軸４２の外径より僅かに大きな内径に設定されている。第２ギヤ５２は、図２〜図４に示すように、中心孔５２１に第２支持軸４２が挿入されて基板本体２０の面２０Ａに設置され、第２支持軸４２を中心に回転する。
【００５７】
第２ギヤ５２は、図５〜図７に示すように、筒状部５２２の基部５２２Ａの外周に、傾斜した溝状に形成される溝部５２３を備えている。溝部５２３は、孔部としての中心孔５２１の中心軸に対して扁芯して形成されている。
【００５８】
詳細には、溝部５２３は、図６、図７に示すように、遮光板７が閉じた状態（全閉状態）を基準として、第２ギヤ５２が第３支持軸４３の中心軸の方向に付勢されるように扁芯して形成されている。なお、図７には、第２ギヤ５２が付勢される方向を、模式的に矢印Ａで示している。
【００５９】
溝部５２３において、筒状部５２２の基部５２２Ａの外周に偏って傾斜して形成される傾斜部５２４が、押圧部に相当する。この傾斜部５２４をコイルばね６が押圧することにより、第２ギヤ５２が支持基板２に押し付けられると共に、第３支持軸４３の中心軸の方向に付勢される。
【００６０】
第２ギヤ５２は、図５に示すように、遮光板取付部５２５と摺動用突起部５２６と検知用突起部５２７とが形成される。
遮光板取付部５２５は、遮光板７ａを取り付けるための部位であり、図７に示すように、第２ギヤ５２の左側（−Ｘ側）の端部に突出した部位を有して形成されている。遮光板取付部５２５は、左方に開口するネジ孔（図示省略）が設けられており、遮光板７ａは、図４に示すように、このネジ孔にネジＳ２が螺合されて第２ギヤ５２に取り付けられる。
【００６１】
摺動用突起部５２６は、図５に示すように、中心孔５２１を中心として基板本体２０の面２０Ａ側にリブ状に突出して形成される。摺動用突起部５２６は、第２ギヤ５２が回転する際に、コイルばね６により、シート部材６５に押し付けられながら、シート部材６５の面上を摺動する。
【００６２】
検知用突起部５２７は、図５に示すように、センサー部８に備えられたセンサー８０としてのフォトセンサーから照射される光を遮蔽する機能を有している。検知用突起部５２７は、中心孔５２１の中心軸を中心とする円弧状の突起であり、基板本体２０の面２０Ａ側に突出して形成される。そして、検知用突起部５２７は、図５に示すように、フォトセンサーの凹部に挿入可能に構成されている。
【００６３】
第３ギヤ５３に関して構成および動作を説明する。
第３ギヤ５３は、合成樹脂製であり、図６、図７に示すように、第２ギヤ５２と略同様に構成されている。第３ギヤ５３は、平面視で略半円形状を有しており、第２ギヤ５２にかみ合う歯形がこの半円状の外周に形成されている。第３ギヤ５３は、はすば歯車として構成されている。この歯形が形成されている範囲は、遮光板７ｂが回動する範囲に対応して設定されている。
【００６４】
第３ギヤ５３は、図４に示すように、回転中心軸を中心とする中心孔５３１を有して筒状に形成される筒状部５３２を備えている。中心孔５３１は、第３支持軸４３の外径より僅かに大きな内径に設定されている。第３ギヤ５３は、図２〜図４に示すように、中心孔５３１に第３支持軸４３が挿入されて基板本体２０の面２０Ａに設置され、第３支持軸４３を中心に回転する。調光装置１０は、第３ギヤ５３が半円形状に形成されることで、円形状に形成される場合に比べて、小型化が図られている。
【００６５】
第３ギヤ５３は、図５〜図７に示すように、筒状部５３２の基部５３２Ａの外周に、傾斜した溝状に形成される溝部５３３を備えている。溝部５３３は、孔部としての中心孔５３１の中心軸に対して扁芯して形成されている。
【００６６】
詳細には、溝部５３３は、図６、図７に示すように、遮光板７が閉じた状態（全閉状態）を基準として、第３ギヤ５３が第２支持軸４２の中心軸の方向に付勢されるように扁芯して形成されている。なお、図７には、第３ギヤ５３が付勢される方向を、模式的に矢印Ｂで示している。
【００６７】
溝部５３３において、筒状部５３２の基部５３２Ａの外周に偏って傾斜して形成される傾斜部５３４が、押圧部に相当する。この傾斜部５３４をコイルばね６が押圧することにより、第３ギヤ５３が支持基板２に押し付けられると共に、第２支持軸４２の中心軸の方向に付勢される。
【００６８】
第３ギヤ５３は、図５に示すように、遮光板取付部５３５と摺動用突起部５３６とが形成される。
遮光板取付部５２５は、遮光板７ｂを取り付けるための部位であり、図７に示すように、第３ギヤ５３の左側（−Ｘ側）の端部に突出した部位を有して形成されている。遮光板取付部５３５は、図４に示すように、左方に開口するネジ孔５３５３が設けられており、遮光板７ｂは、このネジ孔５３５３にネジＳ２が螺合されて第３ギヤ５３に取り付けられる。
【００６９】
摺動用突起部５３６は、図５に示すように、中心孔５３１を中心として基板本体２０の面２０Ａ側にリブ状に突出して形成される。摺動用突起部５３６は、第３ギヤ５３が回転する際に、コイルばね６により、シート部材６５に押し付けられながら、シート部材６５の面上を摺動する。
【００７０】
なお、上述したように、第２ギヤ５２の溝部５２３は、遮光板７が閉じた状態（全閉状態）を基準として、第２ギヤ５２が第３支持軸４３の中心軸の方向に付勢されるように扁芯して形成されている。そして、第３ギヤ５３の溝部５３３は、遮光板７が閉じた状態（全閉状態）を基準として、第３ギヤ５３が第２支持軸４２の中心軸の方向に付勢されるように扁芯して形成されている。
【００７１】
言い換えると、本実施形態では、図５、図６に示すように、第２ギヤ５２の溝部５２３（傾斜部５２４）と第３ギヤ５３の溝部５３３（傾斜部５３４）とは、遮光板７が閉じた状態（全閉状態）を基準として、一対の遮光板７ａ，７ｂの照明光軸ＯＡ側の相対する端部の隙間（後述する第２傾斜部７２ａと第２傾斜部７２ｂとの端部の隙間Ｓ）を小さくする方向に、第２ギヤ５２、第３ギヤ５３が付勢されるように扁芯させて形成されている。
【００７２】
遮光板７は、第２ギヤ５２に直接的に保持される遮光板７ａと、第３ギヤ５３に直接的に保持される遮光板７ｂとにより一対形成されている。そして、遮光板７（７ａ，７ｂ）は、本実施形態では、入射する光束の照明光軸ＯＡを中心として（詳細には、照明光軸ＯＡを通る水平面（ＸＹ平面）に対して）略対称となるように配置される。
【００７３】
遮光板７（７ａ，７ｂ）は、図２に示す全閉状態と、図３に示す全開状態との間で、ステップ数で制御されるモーター５０の駆動に応じて回動量を変化させる。この回動動作により、遮光板７（７ａ，７ｂ）は、入射する光束を回動量に応じて遮光し、通過させる光量を調整する。以降では、一方の遮光板７ｂを例にして遮光板７の構成に関して説明する。
【００７４】
遮光板７ｂは、金属板を曲折して形成されている。遮光板７ｂは、図２〜図６に示すように、矩形状の遮光板本体７０ｂと、遮光板本体７０ｂの照明光軸ＯＡ側の長手側端部から光束入射側に傾斜する第１傾斜部７１ｂと、第１傾斜部７１ｂの照明光軸ＯＡ側の長手側端部から光束射出側に傾斜する第２傾斜部７２ｂとを備えて形成される。
【００７５】
なお、遮光板７ｂは、第２傾斜部７２ｂの照明光軸ＯＡ側の端部中央に、遮光板７ｂを設置した際に、照明光軸ＯＡを囲む形態となる円弧状の切欠部７２１ｂが形成されている。また、遮光板７ｂは、遮光板本体７０ｂの短手側端部に延出する接続部７０１ｂが形成される。
【００７６】
また、遮光板７ｂは、図４に示すように、第３ギヤ５３の遮光板取付部５３５に取り付ける（接続する）ための接続部材７５ｂを備えている。接続部材７５ｂは、矩形状の金属板で形成されている。接続部材７５ｂと遮光板本体７０ｂとは、接続部材７５ｂと接続部７０１ｂとをカシメ加工することにより一体化している。
【００７７】
接続部材７５ｂには、案内孔７５１ｂと挿通孔７５２ｂとが形成されている。接続部材７５ｂは、遮光板取付部５３５に形成される案内突起５３５２に案内孔７５１ｂを挿入させ、挿通孔７５２ｂにネジＳ２を挿通し、遮光板取付部５３５のネジ孔５３５３に螺合させることにより、遮光板取付部５３５に取り付けられる。これにより、遮光板７ｂが、第３ギヤ５３に取り付けられる。
【００７８】
他方の遮光板７ａも、上述した遮光板７ｂと同様に構成される。異なるのは、遮光板７ａと遮光板７ｂとは、設置されたとき、照明光軸ＯＡを通る水平面（ＸＹ平面）に対して、本実施形態では、略対称となるように構成されていることである。従って、遮光板７ａは、遮光板７ｂの構成部に対応する同様の構成部に対して、符号の末尾に、ｂに換えてａの符号を付記する。なお、遮光板７ａの構成の詳細説明は省略する。
【００７９】
なお、遮光板７は、全閉状態での遮光板７ａ，７ｂ間の隙間Ｓを小さくすることにより、全閉状態での遮光板７ａ，７ｂを通過する光束の光量を少なくさせるため、投写画像のコントラストを向上させる。また、第２傾斜部７２ａ，７２ｂに切欠部７２１ａ，７２１ｂを形成することにより、減光率（全閉状態での液晶パネル３４１に入射する光束の光量を１とした場合の、液晶パネル３４１に入射する光束の光量の比率）の変化をなだらかにすることで、調光による投写画像の明るさの変化を視認し難いものとしている。
【００８０】
次に、第２ギヤ５２の組み立てに関して説明する。
なお、第２ギヤ５２を基板本体２０に組み立てる前段階として、３つの支持軸４を案内としてシート部材６５を支持基板２の面２０Ａに設置する。その後、第１ギヤ５１を第１支持軸４１に挿通させ、固定リングＥ２により固定する。その後、第２ギヤ５２を第２支持軸４２に設置する。
【００８１】
図４、図５に示すように、最初に、第２ギヤ５２の中心孔５２１を第２支持軸４２に挿通させる。このとき、第１ギヤ５１の小ギヤ部５１２の歯形（はすば）に第２ギヤ５２の歯形（はすば）をかみ合わせる。次に、筒状部５２２にコイルばね６を挿入する。次に、コイルばね６を押圧して、円板状で第２支持軸４２の外形より僅かに大きい孔径を有するバネ用保持板６６を、第２支持軸４２の先端部から挿入する。次に、固定リングＥ２を第２支持軸４２の先端部に設置される溝部４２２に係止することにより、第２ギヤ５２を第２支持軸４２に設置する。
【００８２】
第２ギヤ５２の組み立てにより、コイルばね６の一方の先端部は、図５に示すように、扁芯して形成される溝部５２３に当接して第２ギヤ５２を支持基板２に押し付ける。そして、コイルばね６は、溝部５２３の傾斜部５２４に当接することにより、傾斜部５２４を押圧する。これにより、押圧される傾斜部５２４に相対する中心孔５２１の内面は、第２支持軸４２の外面に当接する状態となる。
【００８３】
次に、第３ギヤ５３の組み立てに関して説明する。
図４、図５に示すように、第３ギヤ５３は、第２ギヤ５２の組み立てと略同様に組み立てる。最初に、第３ギヤ５３の中心孔５３１を第３支持軸４３に挿通させる。このとき、第２ギヤ５２の歯形（はすば）に第３ギヤ５３の歯形（はすば）をかみ合わせる。次に、筒状部５３２にコイルばね６を挿入する。次に、コイルばね６を押圧して、円板状で第３支持軸４３の外形より僅かに大きい孔径を有するバネ用保持板６６を、第３支持軸４３の先端部から挿入する。次に、固定リングＥ２を第３支持軸４３の先端部に設置される溝部４３２に係止することにより、第３ギヤ５３を第３支持軸４３に設置する。
【００８４】
第３ギヤ５３の組み立てにより、コイルばね６の一方の先端部は、図５に示すように、扁芯して形成される溝部５３３に当接して第３ギヤ５３を支持基板２に押し付ける。そして、コイルばね６は、溝部５３３の傾斜部５３４に当接することにより、傾斜部５３４を押圧する。これにより、押圧される傾斜部５３４に相対する中心孔５３１の内面は、第３支持軸４３の外面に当接する状態となる。
【００８５】
なお、第２ギヤ５２、第３ギヤ５３を組み立てる際、図６に示すように、それぞれ保持する遮光板７ａ，７ｂが全閉状態の位置となるように組み立てる。また、上述したように、第２ギヤ５２の溝部５２３と第３ギヤ５３の溝部５３３とは、遮光板７の全閉状態を基準として、一対の遮光板７ａ，７ｂの照明光軸ＯＡ側の相対する第２傾斜部７２ａと第２傾斜部７２ｂとの端部の隙間Ｓを小さくする方向に、第２ギヤ５２、第３ギヤ５３が付勢されるように扁芯させて形成されている。
【００８６】
これにより、遮光板７の全閉状態において、第２ギヤ５２と第３ギヤ５３の軸間距離を安定化させている。従って、第２傾斜部７２ａと第２傾斜部７２ｂとの端部の隙間Ｓは、第２ギヤ５２および第３ギヤ５３が回動し、遮光板７ａ，７ｂの回動角度（回動量）が変化し、全閉状態と全開状態、およびその中間の状態を繰り返しても、再度、全閉状態に戻した場合には、隙間Ｓは確保されている。
【００８７】
上述した実施形態によれば、以下の効果が得られる。
本実施形態の調光装置１０によれば、コイルばね６が、遮光板７（７ａ，７ｂ）を保持する第２ギヤ５２、第３ギヤ５３を支持基板２に押し付けて付勢する。これにより、調光装置１０は、第２支持軸４２、第３支持軸４３に支持されて回動する第２ギヤ５２、第３ギヤ５３の回転のガタツキを防止することができ、また、長期間の使用に対しても安定してガタツキを防止することができる。従って、第２ギヤ５２、第３ギヤ５３に直接的に保持されて回動する一対の遮光板７（７ａ，７ｂ）は、安定した回転を長期間維持することができ、通過させる光量を適正に調整することができる。
【００８８】
本実施形態の調光装置１０によれば、付勢部材がコイルばね６で構成されていることにより、第２ギヤ５２、第３ギヤ５３の回転による振動等で発生するガタツキに対して追従させることができ、第２ギヤ５２、第３ギヤ５３を安定して支持基板２に押し付けることができる。
【００８９】
本実施形態の調光装置１０によれば、コイルばね６は、第２ギヤ５２、第３ギヤ５３に形成される中心孔５２１，５３１の中心軸に対して扁芯して設置される押圧部としての傾斜部５２４，５３４を押圧することで、第２ギヤ５２、第３ギヤ５３を移動させ、第２支持軸４２、第３支持軸４３の外面に中心孔５２１，５３１の内面を当接させることができる。これにより、調光装置１０は、第２支持軸４２、第３支持軸４３と中心孔５２１，５３１との隙間を無くすことができるため、第２ギヤ５２、第３ギヤ５３の第２支持軸４２、第３支持軸４３に対する傾きを防止することができる。従って、調光装置１０は、第２ギヤ５２、第３ギヤ５３の回転のガタツキを更に防止することができる。
【００９０】
本実施形態の調光装置１０によれば、遮光板７（７ａ，７ｂ）が閉じた状態において、一対の遮光板７の照明光軸ＯＡ側の相対する端部の隙間Ｓを小さくする方向に、第２ギヤ５２、第３ギヤ５３が付勢されることにより、遮光板７が閉じた状態における第２ギヤ５２、第３ギヤ５３の軸間距離を安定化させることができる。これにより、調光装置１０は、遮光板７が閉じた状態において、遮光板７の照明光軸ＯＡ側の相対する端部の隙間Ｓが最小となるように設定することで、遮光板７を長期間回転させても、遮光板７が閉じた状態における隙間Ｓが最小となる状態を維持させることができる。従って、調光装置１０は、遮光板７の調光制御を精度良く実施することができる。
【００９１】
本実施形態の調光装置１０によれば、第２ギヤ５２、第３ギヤ５３と支持基板２との間には、潤滑性を有するシート状のシート部材６５が設置されている。そして、第２ギヤ５２、第３ギヤ５３は、コイルばね６により付勢されて、シート部材６５の表面を滑らかに摺動することができる。これにより、調光装置１０は、第２ギヤ５２、第３ギヤ５３が支持基板２の表面を直接摺動する場合に比べて、第２ギヤ５２、第３ギヤ５３の回動による騒音を抑制することができ、静音化を図ることができる。
【００９２】
本実施形態の調光装置１０によれば、第２ギヤ５２、第３ギヤ５３がシート部材６５の表面を滑らかに摺動することにより、第２ギヤ５２、第３ギヤ５３が支持基板２の表面を直接摺動する場合に比べて、摺動による第２ギヤ５２、第３ギヤ５３の削れを低減することができる。これにより、調光装置１０は、削れによる塵埃の発生を低減できる。
【００９３】
本実施形態のプロジェクター１によれば、第２ギヤ５２、第３ギヤ５３の回転のガタツキを防止する調光装置１０により、通過させる光量の調光制御を精度良く実施できることにより、投写される画像に対して高いダイナミックコントラストを実現することができ、しかも、高いダイナミックコントラストを長期間維持することができる。
（第２実施形態）
【００９４】
図８は、第２実施形態に係る調光装置１１の概略断面図である。なお、図８において、調光装置１１は、一方の遮光板７７を回動させるための構成を図示している。図８を参照して、調光装置１１の構成および動作に関して概略を説明する。
【００９５】
本実施形態のプロジェクター１における調光装置１１は、第１実施形態の調光装置１０と比較して、回動伝達ギヤ等を含む配置が異なっている。なお、調光装置１１以外の光学ユニット３等に関しては第１実施形態と同様である。
【００９６】
本実施形態の調光装置１１は、概略、支持基板２８と、支持基板２８に設置される一対の支持軸４４と、モーター５０４と、一対の回動伝達ギヤ５６と、一対の回動伝達部材９と、回動伝達部材９に保持される一対の遮光板７７と、回動伝達ギヤ５６を支持基板２８に押し付ける付勢部材としての一対のコイルばね６１とを備えている。なお、モーター５０４、回動伝達ギヤ５６等により駆動部５５を構成している。
【００９７】
支持基板２８は、略矩形状に形成される基板本体２９を有している。また、基板本体２９には支持軸４４を挿入する孔部２９１が形成されている。なお、支持基板２８の一方（−Ｙ側）の面を面２９Ａとし、他方（＋Ｙ側）の面を面２９Ｂとする。
【００９８】
支持基板２８は、本実施形態では、一方の面２９Ａ側に、回動伝達部材９と遮光板７７等が設置され、他方の面２９Ｂ側に、モーター５０４、回動伝達ギヤ５６、コイルばね６１等が設置される。なお、光源装置３０から射出された光束は、支持基板２８の一方の面２９Ａ側を−Ｘ方向から遮光板７７に入射する。そして、入射した光束は、遮光板７７により遮光され、遮光されなかった光束は＋Ｘ方向に通過する。また、本実施形態では、回動伝達ギヤ５６は、直接的に遮光板７７を保持せず、間接的に保持して、遮光板７７を回動させている。
【００９９】
支持軸４４は、筒状のスリーブ４５と、スリーブ４５の内側に保持されてスリーブ４５の両側に延出する円柱状のシャフト４６とを備えている。また、スリーブ４５とシャフト４６は、軸受け４７を介して互いに回動可能に構成されている。なお、軸受け４７は、１列のボールベアリングで構成されている。そして、支持軸４４は、スリーブ４５を基板本体２９の孔部２９１に圧入して支持基板２８に固定される。
【０１００】
支持基板２８の他方の面２９Ｂ側に延出するシャフト４６には、回動伝達ギヤ５６が挿入されて回転可能に支持されている。回動伝達ギヤ５６は、はすば歯車で構成されており、モーター５０４のスピンドル５０５に圧入されるウォーム５０６とかみ合う。また、回動伝達ギヤ５６には、筒状部５６２にコイルばね６１が挿入される。コイルばね６１の一端は溝部底面５６３に当接する。なお、コイルばね６１を筒状部５６２に挿入した後、コイルばね６１を保持するバネ用保持板６７をシャフト４６に挿入し、固定リングＥ６を溝部４６２に係止する。これにより、シャフト４６は、回動伝達ギヤ５６を支持基板２８とバネ用保持板６７との間に固定される。
【０１０１】
支持基板２８の一方の面２９Ａ側に延出するシャフト４６には、回動伝達部材９が挿入されて回転可能に支持されている。シャフト４６は、固定リングＥ５を溝部４６１に係止することで、回動伝達部材９を支持基板２８と固定リングＥ５との間に固定される。
【０１０２】
なお、回動伝達部材９は、遮光板７７を固定する遮光板取付部９１を有している。本実施形態の遮光板７７は、第１実施形態の遮光板７と同様に構成されている。遮光板７７は、カシメ加工により接続部材７８と一体化され、ネジＳ５により遮光板取付部９１に取り付けられる。
【０１０３】
このように構成される調光装置１１では、コイルばね６１により、回動伝達ギヤ５６の溝部底面５６３と、バネ用保持板６７とが付勢される。これにより、回動伝達ギヤ５６は支持基板２８に押し付けられる。また、バネ用保持板６７は支持基板２８の他方の面２９Ｂ側とは逆側（＋Ｙ方向）に押される。これにより、シャフト４６も＋Ｙ方向に押され、軸受け４７の有するＹ軸方向の隙間分が＋Ｙ方向に移動する。シャフト４６の＋Ｙ方向への移動により、回動伝達部材９は、＋Ｙ方向へ移動し、支持基板２８の一方の面２９Ａに押し付けられる。
【０１０４】
このような調光装置１１により、モーター５０４のウォーム５０６が回動すると、ウォーム５０６にかみ合う回動伝達ギヤ５６が回動する。回動伝達ギヤ５６の回動により、シャフト４６が軸受け４７によりスリーブ４５に対して回動する。そして、シャフト４６の回動により、回動伝達部材９が回動する。回動伝達部材９が回動することにより、接続する遮光板７７が回動する。
【０１０５】
上述した第２実施形態によれば、以下の効果が得られる。
本実施形態の調光装置１１は、コイルばね６１が、遮光板７７を間接的に保持する回動伝達ギヤ５６を支持基板２８に押し付けて付勢する。これにより、調光装置１１は、支持軸４４に支持されて回動する回動伝達ギヤ５６の回転のガタツキを防止することができ、また、長期間の使用に対しても安定してガタツキを防止することができる。従って、回動伝達ギヤ５６に間接的に保持されて回動する一対の遮光板７７は、安定した回転を長期間維持することができ、通過させる光量を適正に調整することができる。
【０１０６】
なお、上述した実施形態は、その要旨を逸脱しない範囲において種々の変更や改良等を加えて実施することが可能である。変形例を以下に述べる。
【０１０７】
前記第１実施形態の調光装置１０は、第２ギヤ５２、第３ギヤ５３に形成される中心孔５２１，５３１の中心軸に対して扁芯して設置される押圧部としての傾斜部５２４，５３４をコイルばね６で押圧している。しかし、扁芯しない面部を第２ギヤ５２、第３ギヤ５３に設けて、コイルばねはこの面部のみを押圧する構成としてもよい。この場合、第２ギヤ５２、第３ギヤ５３は、支持基板に押し付けられることで、第２ギヤ５２、第３ギヤ５３の回転のガタツキを防止することができる。
【０１０８】
前記第１、第２実施形態の調光装置１０，１１は、付勢部材として、コイルばね６，６１を使用している。しかし、付勢部材はコイルばね６，６１に限られず、板バネなどを使用してもよい。
【０１０９】
前記第１実施形態の調光装置１０は、押圧部として、傾斜部５２４，５３４を使用している。しかし、押圧部は傾斜部５２４，５３４に限られず、中心孔５２１，５３１の中心軸に対して扁芯して設置され、第２支持軸４２、第３支持軸４３の外面に中心孔５２１，５３１の内面を当接させることができ、第２支持軸４２、第３支持軸４３と中心孔５２１，５３１との隙間を無くすことができるような形状や構成であればよい。
【０１１０】
前記第１実施形態の調光装置１０は、遮光板７（７ａ，７ｂ）において、遮光板本体７０ａ，７０ｂ、第１傾斜部７１ａ，７１ｂ、第２傾斜部７２ａ，７２ｂを有し、第２傾斜部７２ａ，７２ｂには切欠部７２１ａ，７２１ｂを有している。しかし、第１傾斜部７１ａ，７１ｂや第２傾斜部７２ａ，７２ｂおよび切欠部７２１ａ，７２１ｂの形状等は、適宜変更することができる。これは、第２実施形態においても同様である。
【０１１１】
前記第１実施形態の遮光板７（７ａ，７ｂ）は、照明光軸ＯＡを通る水平面（ＸＹ平面）に対して略対称となるように配置されている。しかし、遮光板は対称に配置されなくてもよい。これは、第２実施形態においても同様である。
【０１１２】
前記第１実施形態の調光装置１０は、遮光板７が、Ｚ方向に開閉する機構となっているが、Ｙ方向に開閉する機構としてもよい。これは、第２実施形態においても同様である。
【０１１３】
前記第１、第２実施形態の光源３０１は、超高圧水銀ランプを採用している。しかし、これに限定されず、高輝度発光する種々の放電型のランプを採用することができ、例えば、メタルハライドランプや高圧水銀ランプ等を採用することができる。
【０１１４】
前記第１、第２実施形態の光学ユニット３は、Ｒ光、Ｇ光、Ｂ光に対応する３つの光変調装置（液晶パネル３４１）を用いる、いわゆる３板方式を採用している。しかし、これに限られず、単板方式の光変調装置を採用してもよい。また、コントラストを向上させるための光変調装置を追加して採用してもよい。
【０１１５】
前記第１、第２実施形態の光学ユニット３は、透過型の光変調装置（透過型の液晶パネル３４１）を採用している。しかし、これに限られず、反射型の光変調装置を採用してもよい。
【符号の説明】
【０１１６】
１…プロジェクター、２，２８…支持基板、１０，１１…調光装置、４，４４…支持軸、６，６１…コイルばね、７，７７…遮光板、３０…光源装置、４２…第２支持軸、４３…第３支持軸、５２…第２ギヤ、５３…第３ギヤ、５６…回動伝達ギヤ、６５…シート部材、３４１…液晶パネル、５２１，５３１…中心孔、５２４，５３４…の傾斜部、ＯＡ…照明光軸、Ｓ…隙間。
【図１】
0005842651.tif 000002
【図２】
0005842651.tif 000003
【図３】
0005842651.tif 000004
【図４】
0005842651.tif 000005
【図５】
0005842651.tif 000006
【図６】
0005842651.tif 000007
【図７】
0005842651.tif 000008
【図８】
0005842651.tif 000009